(57)【要約】【課題】画像形成装置にファックスを送信させる携帯端末と画像形成装置とが円滑に機器連携することを可能とする。【解決手段】携帯端末１０２は、ユーザによりファックスを送信する指示を受け付けると、携帯端末を特定するための携帯端末情報を送信し、取得した送信結果を含む送信履歴を履歴情報として記憶部に記憶し、記憶した履歴情報を画像形成装置に記憶されている履歴情報と同期する。【選択図】図１５
2015005813.tif 000002
【特許請求の範囲】
【請求項１】
画像形成装置と通信可能な携帯端末であって、
ファックスを送信する宛先を示す宛先情報を設定する宛先設定手段と、
ファックスを送信するリクエストを前記画像形成装置に送信するリクエスト送信手段と、
前記リクエスト送信手段により前記リクエストが送信された画像形成装置からファックスの送信が可能であることが応答された場合に、前記画像形成装置へ原稿をセットするようにユーザに指示する内容を表示部に表示する原稿セット指示表示手段と、
前記画像形成装置に前記原稿がセットされたことを検知し、前記ユーザによりファックスを送信する指示を受け付けると、前記宛先設定手段により設定された宛先情報、及び当該携帯端末を特定するための携帯端末情報とともに、前記原稿を読み取り、ファックスを送信する指示を前記画像形成装置に送信する指示送信手段と、
前記指示送信手段によりファックスの送信が指示された前記画像形成装置からファックスの送信結果を取得する送信結果取得手段と、
前記送信結果取得手段により取得された送信結果を前記表示部に表示する送信結果表示手段と、
前記送信結果を含む送信履歴を履歴情報として記憶部に記憶する履歴記憶手段と、
前記履歴記憶手段により前記記憶部に記憶された履歴情報を、前記画像形成装置に記憶されている履歴情報と同期する同期手段と
を備えたことを特徴とする携帯端末。
【請求項２】
前記携帯端末情報は、当該携帯端末のＭＡＣアドレス、ＩＰアドレス、及びメールアドレスであることを特徴とする請求項１記載の携帯端末。
【請求項３】
前記送信結果は、ファックスの送信が完了したこと、ファックスの送信が失敗したこと、及び前記画像形成装置からの応答がなかったために送信結果を取得的できなかったことのいずれか１つを示す結果であることを特徴とする請求項１または請求項２記載の携帯端末。
【請求項４】
前記同期手段は、前記画像形成装置からの問い合わせに応じて前記履歴記憶手段により前記記憶部に記憶された履歴情報を、前記画像形成装置に送信することを特徴とする請求項１乃至請求項３のいずれか１項に記載の携帯端末。
【請求項５】
ユーザにより前記携帯端末が前記画像形成装置と近距離無線通信により通信が可能な範囲に近づけられた場合に、当該画像形成装置から、近距離無線通信によって近距離無線通信とは異なる通信を行うためのアドレスを取得するアドレス取得手段を備え、
前記アドレス取得手段により取得されたアドレスを用いて前記画像形成装置と通信することを特徴とする請求項１乃至請求項４のいずれか１項に記載の携帯端末。
【請求項６】
携帯端末と通信可能な画像形成装置であって、
ファックスを送信するリクエストを前記携帯端末から受信するリクエスト受信手段と、
ファックスの送信が可能であることを前記携帯端末に応答するリクエスト応答手段と、
ファックスを送信する宛先を示す宛先情報、及び前記携帯端末を特定するための携帯端末情報とともに、原稿を読み取り、ファックスを送信する指示を前記携帯端末から受信する指示受信手段と、
前記指示受信手段により受信された前記携帯端末情報を記憶部に記憶する携帯端末情報記憶手段と、
前記指示受信手段により受信されたファックスを送信する指示に従って前記原稿を読み取り、前記宛先情報が示す宛先に前記原稿を示すファックスを送信するファックス送信手段と、
前記ファックス送信手段によるファックスの送信結果を示すステータスを設定するステータス設定手段と、
前記ステータス設定手段により設定された前記ステータスを、前記携帯端末からのリクエストにより前記携帯端末に提供する提供手段と、
前記送信結果、及び前記携帯端末情報を含む送信履歴を履歴情報として前記記憶部に記憶する履歴記憶手段と、
前記履歴記憶手段により前記記憶部に記憶された履歴情報を、前記携帯端末に記憶されている履歴情報と同期する同期手段と
を備えたことを特徴とする画像形成装置。
【請求項７】
前記携帯端末情報は、前記携帯端末のＭＡＣアドレス、ＩＰアドレス、及びメールアドレスであることを特徴とする請求項６記載の画像形成装置。
【請求項８】
前記ステータスは、ファックスの送信が完了したこと、及びファックスの送信が失敗したことのいずれか１つを示すことを特徴とする請求項６または請求項７記載の携帯端末。
【請求項９】
前記同期手段は、前記携帯端末に記憶された履歴情報を前記携帯端末に問い合わせることで取得した履歴情報と、前記履歴記憶手段により前記記憶部に記憶された履歴情報とが異なる場合には、前記記憶部に記憶された履歴情報を前記携帯端末から取得した履歴情報に同期することを特徴とする請求項６乃至請求項８のいずれか１項に記載の画像形成装置。
【請求項１０】
前記提供手段により、前記画像形成装置に前記ステータスが提供された場合には、前記携帯端末情報記憶手段により前記記憶部に記憶された前記携帯端末情報を削除することを特徴とする請求項６乃至請求項９のいずれか１項に記載の画像形成装置。
【請求項１１】
前記履歴記憶手段により前記記憶部に記憶された履歴情報のうち、記憶されてから予め定められた時間が経過した履歴情報は削除されることを特徴とする請求項６乃至請求項１０のいずれか１項に記載の画像形成装置。
【請求項１２】
前記携帯端末から、一定時間内に前記ステータスのリクエストがない場合には、前記ステータスが示す内容を前記携帯端末情報に含まれるメールアドレス宛に電子メールで送信することを特徴とする請求項６乃至請求項１１のいずれか１項に記載の画像形成装置。
【請求項１３】
携帯端末と画像形成装置とを含み、前記携帯端末と前記画像形成装置とが互いに通信可能な通信システムであって、
前記携帯端末は、
ファックスを送信する宛先を示す宛先情報を設定する宛先設定手段と、
ファックスを送信するリクエストを前記画像形成装置に送信するリクエスト送信手段と、
前記リクエスト送信手段により前記リクエストが送信された画像形成装置からファックスの送信が可能であることが応答された場合に、前記画像形成装置へ原稿をセットするようにユーザに指示する内容を表示部に表示する原稿セット指示表示手段と、
前記画像形成装置に前記原稿がセットされたことを検知し、前記ユーザによりファックスを送信する指示を受け付けると、前記宛先設定手段により設定された宛先情報、及び当該携帯端末を特定するための携帯端末情報とともに、前記原稿を読み取り、ファックスを送信する指示を前記画像形成装置に送信する指示送信手段と、
前記指示送信手段によりファックスの送信が指示された前記画像形成装置からファックスの送信結果を取得する送信結果取得手段と、
前記送信結果取得手段により取得された送信結果を前記表示部に表示する送信結果表示手段と、
前記送信結果を含む送信履歴を履歴情報として第１記憶部に記憶する履歴記憶手段と、
前記履歴記憶手段により前記第１記憶部に記憶された履歴情報を、前記画像形成装置に記憶されている履歴情報と同期する第１同期手段と
を備え、
前記画像形成装置は、
ファックスを送信するリクエストを前記携帯端末から受信するリクエスト受信手段と、
ファックスの送信が可能であることを前記携帯端末に応答するリクエスト応答手段と、
ファックスを送信する宛先を示す宛先情報、及び前記携帯端末を特定するための携帯端末情報とともに、前記原稿を読み取り、ファックスを送信する指示を前記携帯端末から受信する指示受信手段と、
前記指示受信手段により受信された前記携帯端末情報を第２記憶部に記憶する携帯端末情報記憶手段と、
前記指示受信手段により受信されたファックスを送信する指示に従って前記原稿を読み取り、前記宛先情報が示す宛先に前記原稿を示すファックスを送信するファックス送信手段と、
前記ファックス送信手段によるファックスの送信結果を示すステータスを設定するステータス設定手段と、
前記ステータス設定手段により設定された前記ステータスを、前記携帯端末からのリクエストにより前記携帯端末に提供する提供手段と、
前記送信結果、及び前記携帯端末情報を含む送信履歴を履歴情報として前記第２記憶部に記憶する履歴記憶手段と、
前記履歴記憶手段により前記第２記憶部に記憶された履歴情報を、前記携帯端末に記憶されている履歴情報と同期する第２同期手段と
を備えたことを特徴とする通信システム。
【請求項１４】
画像形成装置と通信可能な携帯端末の制御方法であって、
ファックスを送信する宛先を示す宛先情報を設定する宛先設定ステップと、
ファックスを送信するリクエストを前記画像形成装置に送信するリクエスト送信ステップと、
前記リクエスト送信ステップにより前記リクエストが送信された画像形成装置からファックスの送信が可能であることが応答された場合に、前記画像形成装置へ原稿をセットするようにユーザに指示する内容を表示部に表示する原稿セット指示表示ステップと、
前記画像形成装置に前記原稿がセットされたことを検知し、前記ユーザによりファックスを送信する指示を受け付けると、前記宛先設定ステップにより設定された宛先情報、及び当該携帯端末を特定するための携帯端末情報とともに、前記原稿を読み取り、ファックスを送信する指示を前記画像形成装置に送信する指示送信ステップと、
前記指示送信ステップによりファックスの送信が指示された前記画像形成装置からファックスの送信結果を取得する送信結果取得ステップと、
前記送信結果取得ステップにより取得された送信結果を前記表示部に表示する送信結果表示ステップと、
前記送信結果を含む送信履歴を履歴情報として記憶部に記憶する履歴記憶ステップと、
前記履歴記憶ステップにより前記記憶部に記憶された履歴情報を、前記画像形成装置に記憶されている履歴情報と同期する同期ステップと
を備えたことを特徴とする制御方法。
【請求項１５】
前記携帯端末情報は、当該携帯端末のＭＡＣアドレス、ＩＰアドレス、及びメールアドレスであることを特徴とする請求項１４記載の制御方法。
【請求項１６】
前記送信結果は、ファックスの送信が完了したこと、ファックスの送信が失敗したこと、及び前記画像形成装置からの応答がなかったために送信結果を取得的できなかったことのいずれか１つを示す結果であることを特徴とする請求項１４または請求項１５記載の制御方法。
【請求項１７】
前記同期ステップは、前記画像形成装置からの問い合わせに応じて前記履歴記憶ステップにより前記記憶部に記憶された履歴情報を、前記画像形成装置に送信することを特徴とする請求項１４乃至請求項１６のいずれか１項に記載の制御方法。
【請求項１８】
ユーザにより前記携帯端末が前記画像形成装置と近距離無線通信により通信が可能な範囲に近づけられた場合に、当該画像形成装置から、近距離無線通信によって近距離無線通信とは異なる通信を行うためのアドレスを取得するアドレス取得ステップを備え、
前記アドレス取得ステップにより取得されたアドレスを用いて前記画像形成装置と通信することを特徴とする請求項１４乃至請求項１７のいずれか１項に記載の制御方法。
【請求項１９】
携帯端末と通信可能な画像形成装置の制御方法であって、
ファックスを送信するリクエストを前記携帯端末から受信するリクエスト受信ステップと、
ファックスの送信が可能であることを前記携帯端末に応答するリクエスト応答ステップと、
ファックスを送信する宛先を示す宛先情報、及び前記携帯端末を特定するための携帯端末情報とともに、原稿を読み取り、ファックスを送信する指示を前記携帯端末から受信する指示受信ステップと、
前記指示受信ステップにより受信された前記携帯端末情報を記憶部に記憶する携帯端末情報記憶ステップと、
前記指示受信ステップにより受信されたファックスを送信する指示に従って前記原稿を読み取り、前記宛先情報が示す宛先に前記原稿を示すファックスを送信するファックス送信ステップと、
前記ファックス送信ステップによるファックスの送信結果を示すステータスを設定するステータス設定ステップと、
前記ステータス設定ステップにより設定された前記ステータスを、前記携帯端末からのリクエストにより前記携帯端末に提供する提供ステップと、
前記送信結果、及び前記携帯端末情報を含む送信履歴を履歴情報として前記記憶部に記憶する履歴記憶ステップと、
前記履歴記憶ステップにより前記記憶部に記憶された履歴情報を、前記携帯端末に記憶されている履歴情報と同期する同期ステップと
を備えたことを特徴とする制御方法。
【請求項２０】
前記携帯端末情報は、前記携帯端末のＭＡＣアドレス、ＩＰアドレス、及びメールアドレスであることを特徴とする請求項１９記載の制御方法。
【請求項２１】
前記ステータスは、ファックスの送信が完了したこと、及びファックスの送信が失敗したことのいずれか１つを示すことを特徴とする請求項１９または請求項２０記載の制御方法。
【請求項２２】
前記同期ステップは、前記携帯端末に記憶された履歴情報を前記携帯端末に問い合わせることで取得した履歴情報と、前記履歴記憶ステップにより前記記憶部に記憶された履歴情報とが異なる場合には、前記記憶部に記憶された履歴情報を前記携帯端末から取得した履歴情報に同期することを特徴とする請求項１９乃至請求項２１のいずれか１項に記載の制御方法。
【請求項２３】
前記提供ステップにより、前記画像形成装置に前記ステータスが提供された場合には、前記携帯端末情報記憶ステップにより前記記憶部に記憶された前記携帯端末情報を削除することを特徴とする請求項１９乃至請求項２２のいずれか１項に記載の制御方法。
【請求項２４】
前記履歴記憶ステップにより前記記憶部に記憶された履歴情報のうち、記憶されてから予め定められた時間が経過した履歴情報は削除されることを特徴とする請求項１９乃至請求項２３のいずれか１項に記載の制御方法。
【請求項２５】
前記携帯端末から、一定時間内に前記ステータスのリクエストがない場合には、前記ステータスが示す内容を前記携帯端末情報に含まれるメールアドレス宛に電子メールで送信することを特徴とする請求項１９乃至請求項２４のいずれか１項に記載の制御方法。
【請求項２６】
画像形成装置と通信可能な携帯端末の制御方法をコンピュータに実行させるためのプログラムであって、
前記制御方法は、
ファックスを送信する宛先を示す宛先情報を設定する宛先設定ステップと、
ファックスを送信するリクエストを前記画像形成装置に送信するリクエスト送信ステップと、
前記リクエスト送信ステップにより前記リクエストが送信された画像形成装置からファックスの送信が可能であることが応答された場合に、前記画像形成装置へ原稿をセットするようにユーザに指示する内容を表示部に表示する原稿セット指示表示ステップと、
前記画像形成装置に前記原稿がセットされたことを検知し、前記ユーザによりファックスを送信する指示を受け付けると、前記宛先設定ステップにより設定された宛先情報、及び当該携帯端末を特定するための携帯端末情報とともに、前記原稿を読み取り、ファックスを送信する指示を前記画像形成装置に送信する指示送信ステップと、
前記指示送信ステップによりファックスの送信が指示された前記画像形成装置からファックスの送信結果を取得する送信結果取得ステップと、
前記送信結果取得ステップにより取得された送信結果を前記表示部に表示する送信結果表示ステップと、
前記送信結果を含む送信履歴を履歴情報として記憶部に記憶する履歴記憶ステップと、
前記履歴記憶ステップにより前記記憶部に記憶された履歴情報を、前記画像形成装置に記憶されている履歴情報と同期する同期ステップと
を備えたことを特徴とするプログラム。
【請求項２７】
前記携帯端末情報は、当該携帯端末のＭＡＣアドレス、ＩＰアドレス、及びメールアドレスであることを特徴とする請求項２６記載のプログラム。
【請求項２８】
前記送信結果は、ファックスの送信が完了したこと、ファックスの送信が失敗したこと、及び前記画像形成装置からの応答がなかったために送信結果を取得的できなかったことのいずれか１つを示す結果であることを特徴とする請求項２６または請求項２７記載のプログラム。
【請求項２９】
前記同期ステップは、前記画像形成装置からの問い合わせに応じて前記履歴記憶ステップにより前記記憶部に記憶された履歴情報を、前記画像形成装置に送信することを特徴とする請求項２６乃至請求項２８のいずれか１項に記載のプログラム。
【請求項３０】
ユーザにより前記携帯端末が前記画像形成装置と近距離無線通信により通信が可能な範囲に近づけられた場合に、当該画像形成装置から、近距離無線通信によって近距離無線通信とは異なる通信を行うためのアドレスを取得するアドレス取得ステップを備え、
前記アドレス取得ステップにより取得されたアドレスを用いて前記画像形成装置と通信することを特徴とする請求項２６乃至請求項２９のいずれか１項に記載のプログラム。
【請求項３１】
携帯端末と通信可能な画像形成装置の制御方法をコンピュータに実行させるためのプログラムであって、
前記制御方法は、
ファックスを送信するリクエストを前記携帯端末から受信するリクエスト受信ステップと、
ファックスの送信が可能であることを前記携帯端末に応答するリクエスト応答ステップと、
ファックスを送信する宛先を示す宛先情報、及び前記携帯端末を特定するための携帯端末情報とともに、原稿を読み取り、ファックスを送信する指示を前記携帯端末から受信する指示受信ステップと、
前記指示受信ステップにより受信された前記携帯端末情報を記憶部に記憶する携帯端末情報記憶ステップと、
前記指示受信ステップにより受信されたファックスを送信する指示に従って前記原稿を読み取り、前記宛先情報が示す宛先に前記原稿を示すファックスを送信するファックス送信ステップと、
前記ファックス送信ステップによるファックスの送信結果を示すステータスを設定するステータス設定ステップと、
前記ステータス設定ステップにより設定された前記ステータスを、前記携帯端末からのリクエストにより前記携帯端末に提供する提供ステップと、
前記送信結果、及び前記携帯端末情報を含む送信履歴を履歴情報として前記記憶部に記憶する履歴記憶ステップと、
前記履歴記憶ステップにより前記記憶部に記憶された履歴情報を、前記携帯端末に記憶されている履歴情報と同期する同期ステップと
を備えたことを特徴とするプログラム。
【請求項３２】
前記携帯端末情報は、前記携帯端末のＭＡＣアドレス、ＩＰアドレス、及びメールアドレスであることを特徴とする請求項３１記載のプログラム。
【請求項３３】
前記ステータスは、ファックスの送信が完了したこと、及びファックスの送信が失敗したことのいずれか１つを示すことを特徴とする請求項３１または請求項３２記載のプログラム。
【請求項３４】
前記同期ステップは、前記携帯端末に記憶された履歴情報を前記携帯端末に問い合わせることで取得した履歴情報と、前記履歴記憶ステップにより前記記憶部に記憶された履歴情報とが異なる場合には、前記記憶部に記憶された履歴情報を前記携帯端末から取得した履歴情報に同期することを特徴とする請求項３１乃至請求項３３のいずれか１項に記載のプログラム。
【請求項３５】
前記提供ステップにより、前記画像形成装置に前記ステータスが提供された場合には、前記携帯端末情報記憶ステップにより前記記憶部に記憶された前記携帯端末情報を削除することを特徴とする請求項３１乃至請求項３４のいずれか１項に記載のプログラム。
【請求項３６】
前記履歴記憶ステップにより前記記憶部に記憶された履歴情報のうち、記憶されてから予め定められた時間が経過した履歴情報は削除されることを特徴とする請求項３１乃至請求項３５のいずれか１項に記載のプログラム。
【請求項３７】
前記携帯端末から、一定時間内に前記ステータスのリクエストがない場合には、前記ステータスが示す内容を前記携帯端末情報に含まれるメールアドレス宛に電子メールで送信することを特徴とする請求項３１乃至請求項３６のいずれか１項に記載のプログラム。
【発明の詳細な説明】
【技術分野】
【０００１】
本発明は、携帯端末、画像形成装置及びその制御方法、並びにプログラム、通信システムに関する。
【背景技術】
【０００２】
近年、携帯端末は、移動通信システム（例えば３Ｇ、３．９Ｇ）、中・近距離無線通信（例えばＷｉＦｉ、Ｂｌｕｅｔｏｏｔｈ）、及び接触型無線通信（例えばＮＦＣ）など、さまざまな無線通信接続機能を備えている。
【０００３】
これらの機能を用いることで異なる電子機器間でも通信が可能となっている。そのため、電子機器間でそれぞれの機能を生かして新たな価値を見出す機器連携が盛んになっている。
【０００４】
従来、携帯端末のアドレス帳に管理された電話番号、ＦＡＸ番号、及びＥ−ｍａｉｌアドレスなどのアクセス情報を利用して、画像形成装置のファックスの宛先として設定する方法がある。（例えば、特許文献１参照）。
【０００５】
これを利用することで、複数のユーザーで共有する画像形成装置でアドレス帳に登録している個人情報が他のユーザーに知られることを回避することが可能となり、これによって機器連携によるメリットを実現している。
【０００６】
また、このような機器連携を行った際、ユーザーが操作する携帯端末から相手の機器の状態を監視することが必要となってくる。
【０００７】
そこで、画像形成装置の状態を確認するために、ネットワークに接続された画像形成装置を監視するホストＰＣから通知する方法がある。印刷完了、用紙切れ、及びエラーなどの画像形成装置の状態が変化した際に、登録された携帯端末にインターネットを介して通知するシステムが知られている（例えば、特許文献２参照）。
【先行技術文献】
【特許文献】
【０００８】
【特許文献１】特開２００３‐３１９０９３号公報
【特許文献２】特開２００３‐１５０３６２号公報
【発明の概要】
【発明が解決しようとする課題】
【０００９】
しかしながら、近年は携帯端末はＰＣと比肩するくらい高機能化している。上記のように、画像形成装置と携帯端末の連携によるファックス通信を想定したとき、画像形成装置の状態を確認するためにホストＰＣを介することなく、携帯端末で動作するアプリケーションで管理する形態が望ましくなってきた。
【００１０】
そこで、携帯端末がホストＰＣの役割を担い、画像形成装置の状態をポーリングしながら管理する形態が考えられる。
【００１１】
この形態では、携帯端末で動作するアプリケーションで画像形成装置の状態を監視して、ユーザーはその様子を見ながら設定等の操作を進めることが可能となる。
【００１２】
この場合、無線通信でそれを行った際には何らかの原因が生じて通信が切断してしまうことが想定される。画像形成装置に問い合わせができない状態が生じてしまった場合に、ユーザーが現在の状態を知るための機器連携に適した通知方法を取ることが必要である。
【００１３】
本発明の目的は、画像形成装置にファックスを送信させる携帯端末と画像形成装置とが円滑に機器連携することが可能な携帯端末、画像形成装置及びその制御方法、並びにプログラム、通信システムを提供することにある。
【課題を解決するための手段】
【００１４】
上記目的を達成するために、請求項１の携帯端末は、画像形成装置と通信可能な携帯端末であって、ファックスを送信する宛先を示す宛先情報を設定する宛先設定手段と、ファックスを送信するリクエストを前記画像形成装置に送信するリクエスト送信手段と、前記リクエスト送信手段により前記リクエストが送信された画像形成装置からファックスの送信が可能であることが応答された場合に、前記画像形成装置へ前記原稿をセットするようにユーザに指示する内容を表示部に表示する原稿セット指示表示手段と、前記画像形成装置に前記原稿がセットされたことを検知し、前記ユーザによりファックスを送信する指示を受け付けると、前記宛先設定手段により設定された宛先情報、及び当該携帯端末を特定するための携帯端末情報とともに、前記原稿を読み取り、ファックスを送信する指示を前記画像形成装置に送信する指示送信手段と、前記指示送信手段によりファックスの送信が指示された前記画像形成装置からファックスの送信結果を取得する送信結果取得手段と、前記送信結果取得手段により取得された送信結果を前記表示部に表示する送信結果表示手段と、前記送信結果を含む送信履歴を履歴情報として記憶部に記憶する履歴記憶手段と、前記履歴記憶手段により前記記憶部に記憶された履歴情報を、前記画像形成装置に記憶されている履歴情報と同期する同期手段とを備えたことを特徴とする。
【発明の効果】
【００１５】
本発明によれば、ユーザによりファックスを送信する指示を受け付けると、携帯端末を特定するための携帯端末情報を送信し、取得した送信結果を含む送信履歴を履歴情報として記憶部に記憶し、記憶した履歴情報を画像形成装置に記憶されている履歴情報と同期するので、画像形成装置にファックスを送信させる携帯端末と画像形成装置とが円滑に機器連携することが可能となる。
【図面の簡単な説明】
【００１６】
【図１】本発明の実施の形態に係る通信システムの概略構成を示す図である。
【図２】図１におけるＭＦＰの概略構成を示す図である。
【図３】図１における携帯端末の概略構成を示す図である。
【図４】図１における携帯端末の画面例を示す図である。
【図５】モバイルＦＡＸアプリケーションによる画面例を示す図である。
【図６】モバイルＦＡＸアプリケーションによる画面例を示す図である。
【図７】ＭＦＰ及び携帯端末により実行される基本処理の手順を示すフローチャートである。
【図８】図７におけるステップＳ１３１８のリクエスト応答処理の手順を示すフローチャートである。
【図９】図７におけるステップＳ１３０９の原稿検知フラグチェック処理の手順を示すフローチャートである。
【図１０】図７におけるステップＳ１３２２の送信処理の手順を示すフローチャートである。
【図１１】図１０におけるステップＳ１８１５のオートリダイヤル処理の手順を示すフローチャートである。
【図１２】図７におけるステップＳ１３１３のステータスチェック処理の手順を示すフローチャートである。
【図１３】ＮＦＣ機能を用いることなくＭＦＰ及び携帯端末により実行される基本処理の手順を示すフローチャートである。
【図１４】図２におけるＭＦＰのＣＰＵにより実行される切断対応基本処理の手順を示すフローチャートである。
【図１５】図１４におけるステップＳ２００４のリクエスト応答処理の手順を示すフローチャートである。
【図１６】図２におけるＭＦＰのＣＰＵにより実行される携帯端末情報削除処理の手順を示すフローチャートである。
【発明を実施するための形態】
【００１７】
以下、本発明の実施の形態について図面を参照しながら詳述する。
【００１８】
図１は、本発明の実施の形態に係る通信システム１００の概略構成を示す図である。
【００１９】
図１において、通信システム１００は、画像形成装置であるＭＦＰ１０１、携帯端末１０２、及びＰＣ１０７で構成され、それらはネットワーク１０５により接続されている。携帯端末１０２は、ネットワーク１０５に設けられたアクセスポイント１０３により無線ＬＡＮ１０４でネットワーク１０５に接続している。
【００２０】
また、ＭＦＰ１０１は、ＮＦＣ（Near Field Communication）タグ１０６が設けられ、ＮＦＣ搭載機器との通信が可能となっている。さらに、ＭＦＰ１０１は公衆回線網１０８とのインタフェースも持ち、公衆回線網１０８を介して接続されたＦＡＸ装置１０９とＦＡＸ送受信が可能となっている。
【００２１】
本実施の形態では、無線ＬＡＮ１０４とネットワーク１０５を介してＭＦＰ１０１と携帯端末１０２とが互いに通信可能となっており、連携して動作するようになっている。
【００２２】
なお、図１において、ＭＦＰ１０１は、ネットワーク１０５に有線接続している形態となっているが、無線接続するようにしてもよい。この場合、アクセスポイント１０３によりネットワーク１０５に接続することとなる。
【００２３】
図２は、図１におけるＭＦＰ１０１の概略構成を示す図である。
【００２４】
図２において、ＭＦＰ１０１は、コントローラボード３００、スキャナ３０９、プリンタエンジン３０７、操作パネル３１２、及びＮＦＣアンテナ３１４で構成されている。
【００２５】
このうち、スキャナ３０９は原稿の読み取りを行い、プリンタエンジン３０７は、印刷データの用紙への印刷を行い、操作パネル３１２は、各種設定操作、及びアラーム等の表示を行う。
【００２６】
また、スキャナには原稿検知を行う原稿検知センサ３２０が接続されている。原稿検知センサ３２０は、圧板部（原稿台スキャナ部）とＡＤＦ（Auto Document Feeder）部とを備えている。
【００２７】
圧板部の場合、原稿台ガラスに原稿が置かれた場合に、原稿が置かれたことを検知して、スキャナ３０９へ通知する。ＡＤＦ部の場合、フィーダーに原稿が置かれた場合に、原稿が置かれたことを検知してスキャナ３０９へ通知する。
【００２８】
コントローラボード３００におけるＣＰＵ３０１はＭＦＰ１０１全体を制御する。ＲＯＭ３０３はブートＲＯＭであり、ＭＦＰ１０１のブートプログラムが記憶されている。
【００２９】
ＲＡＭ３０２は、ＣＰＵ３０１が動作するためのシステムワークメモリであり、ＣＰＵ３０１の演算データや各種プログラムが記憶される。またＲＡＭ３０２は、印刷時等に画像処理部３０５で種々の画像処理を施された画像データを記憶する画像メモリとしても利用される。
【００３０】
記憶装置３０４（記憶部、第２記憶部）は、サイズの大きなプログラムやデータを記憶しておくための不揮発の２次記憶装置であり、記憶してあるサイズの大きなプログラムやデータはＲＡＭ３０２に展開して使用される。
【００３１】
スキャナインタフェース３０８は、スキャナ３０９とデータ通信を行うためのインタフェースである。エンジンインタフェース３０６は、プリンタエンジン３０７とデータ通信を行うためのインタフェースである。
【００３２】
ＦＡＸインタフェース３１８は、モジュラージャックを介し、公衆回線網１０８に接続され、ＦＡＸ装置１０９とＦＡＸ送受信を行う。
【００３３】
ネットワークインタフェース３１７は、ＬＡＮインタフェースコネクタを介し、ネットワーク１０５に接続し、ＰＣ１０７及び携帯端末１０２とネットワーク通信を行う。上述したように無線接続する場合には、無線ＬＡＮインタフェース３１０によりＰＣ１０７、アクセスポイント１０３、及び携帯端末１０２とネットワーク通信を行う。
【００３４】
ＵＳＢインタフェース３１５は、ＵＳＢコネクタを介し、他の装置とＵＳＢ通信を行う。図２では、ＰＣ３１６とローカル接続している。
【００３５】
ＮＦＣコントローラ３１３は、ＮＦＣアンテナ３１４を介し、ＮＦＣを搭載した携帯端末とＮＦＣ通信を行う。
【００３６】
以上説明したコントローラボード３００における各部及び操作パネル３１２は、バス３１９により接続されている。
【００３７】
図３は、図１における携帯端末１０２の概略構成を示す図である。
【００３８】
図３において、携帯端末１０２は、コントローラボード４００、表示部４０６、タッチパネル４０８、キー４０９、及びＮＦＣアンテナ４１４で構成される。
【００３９】
表示部４０６は、表示コントローラ４０５により各種表示が行われ、タッチパネル４０８、及びキー４０９は操作部コントローラ４０７により各種制御が行われる。ユーザは、表示部４０６に表示されるメニューやボタンに対して、タッチパネル４０８を指などでスライドやタッチをする事でメニューのスクロールやボタンの押下などの指示を与えることができる。
【００４０】
コントローラボード４００におけるＣＰＵ４０１は携帯端末１０２全体を制御する。ＲＯＭ４０３はブートＲＯＭであり、携帯端末１０２のブートプログラムが記憶されている。
【００４１】
ＲＡＭ４０２は、ＣＰＵ４０１が動作するためのシステムワークメモリであり、ＣＰＵ４０１の演算データや各種プログラムが記憶される。記憶装置４０４（記憶部、第１記憶部）は、サイズの大きなプログラムやデータを記憶しておくための不揮発の２次記憶装置であり、記憶してあるサイズの大きなプログラムやデータはＲＡＭ４０２に展開して使用される。
【００４２】
無線ＬＡＮインタフェース４１０は、無線ＬＡＮアンテナ４１１を介し、無線ＬＡＮによりアクセスポイント１０３に接続し、外部との無線ＬＡＮ通信を行う。通話部４１２は、図示しないマイクやスピーカと接続され、公衆回線に接続し、電話としての機能を提供する。ＮＦＣコントローラ４１３は、ＮＦＣアンテナ４１４を介し、ＮＦＣを搭載した機器とＮＦＣ通信を行う。
【００４３】
なお、本実施の形態においては、携帯端末１０２の一例としてスマートフォンを用いて説明するが、スマートフォンに限らず、上述した構成のうちで通話部４１２を除いたタブレットなどの携帯可能な端末であっても本実施の形態を適用可能である。
【００４４】
図４は、図１における携帯端末１０２の画面例を示す図である。
【００４５】
図４（Ａ）は、電話帳アプリケーションの連絡先一覧画面を示す図である。電話帳アプリケーションには、電話番号、携帯電話番号、ＦＡＸ番号、メールアドレス等の情報を登録名称毎に登録することができる。
【００４６】
図４（Ａ）において、連絡先一覧画面５０１は、検索入力部５０２と、登録名称表示部５０３で構成されており、ユーザは登録名称を検索したり、一覧表示の中から選択したりできるようになっている。登録名称を選択すると、その登録名称で登録されている連絡先が一覧表示される。
【００４７】
図４（Ｂ）は、一覧表示例である。図４（Ｂ）において、登録名称６０１が高橋太郎であり、この登録名称に対して電話番号６０２、携帯電話番号６０３、ＦＡＸ番号６０４、メールアドレス携帯６０５、及びメールアドレス会社６０６が登録されている。
【００４８】
ユーザは、その中から連絡先を選択することができるようになっている。ＦＡＸ番号６０４を選択した場合は、モバイルＦＡＸアプリケーションが起動し、ＭＦＰ１０１と連携してＦＡＸ送信を行うことができるようになっている。
【００４９】
図４（Ｃ）は、ＭＦＰ連携アプリケーションのトップ画面を示す図である。
【００５０】
図４（Ｃ）に示されるトップ画面には、モバイルＦＡＸボタン７０１及びモバイルＳｃａｎボタン７０２とが表示されている。
【００５１】
本実施の形態では、携帯端末１０２とＭＦＰ１０１とが連携してＦＡＸ送信を行うモバイルＦＡＸアプリケーションについて説明する。
【００５２】
図５、図６は、モバイルＦＡＸアプリケーションによる画面例を示す図である。
【００５３】
ユーザが、図４（Ｃ）に示す画面において、モバイルＦＡＸボタン７０１を押下すると、図５（Ａ）に示されるモバイルＦＡＸアプリケーションの設定画面が表示される。
【００５４】
この設定画面では、宛先など設定可能な項目が表示され、タッチパネルの操作で各項目を設定できるようになっている。
【００５５】
具体的には、宛先選択ボタン８０１、解像度設定ボタン８０２、濃度設定ボタン８０３、両面設定ボタン８０４、及びシャープネス設定ボタン８０５が表示される。
【００５６】
このうち、宛先選択ボタン８０１を押下すると、図５（Ｂ）の宛先設定方法選択画面が表示され、これはユーザにより宛先設定方法を選択するための画面である。この画面において、電話帳参照ボタン８０７を選択すると、図４（Ａ）に示した電話帳アプリケーションの画面から宛先を選択することができる。また、番号を手入力で設定することも、履歴を参照して宛先選択することもできるようになっている。
【００５７】
図５（Ａ）に戻り、解像度設定ボタン８０２には、解像度の候補が表示され、変更したい場合にはボタンを押下することで別の候補も含めた画面に切り替わり、その中からユーザが解像度を選択することができる。
【００５８】
解像度を変更しない場合は、解像度設定ボタン８０２に表示されている設定値２００×１００ｄｐｉで設定される。解像度を変更した場合は、解像度設定ボタン８０２に変更した設定値が表示され、その設定値で設定される。
【００５９】
濃度設定ボタン８０３、両面設定ボタン８０４、及びシャープネス設定ボタン８０５も同様の操作で設定値を変更することができる。
【００６０】
次へボタン８０６を押下することで、各項目が設定され、図５（Ｃ）に示される画面が表示される。
【００６１】
図５（Ｃ）は、ＭＦＰ選択画面を示す図である。この画面には次の処理へ進むメッセージの表示９０１と、処理を中止するためにキャンセルボタン９０２が表示される。
【００６２】
次の処理へ進むために、ＭＦＰ１０１のＮＦＣタグ１０６にユーザが携帯端末１０２をタッチすると、図５（Ｄ）に示される画面が表示される。
【００６３】
図５（Ｄ）は、アラーム表示画面を示す図である。この画面は、ＭＦＰ１０１と携帯端末１０２が連携するための準備を行っていることを示している。
【００６４】
次に、ＭＦＰ１０１と携帯端末１０２が連携する準備ができると、図６（Ａ）に示される画面が表示される。
【００６５】
図６（Ａ）は、原稿セット指示画面を示す図である。この画面は、原稿をセットするようにユーザに指示する画面である。この画面には、次の処理へ進むメッセージの表示１００１と、処理を中止するためにキャンセルボタン１００２が表示される。
【００６６】
ＭＦＰ１０１に原稿がセットされると、図６（Ｂ）に示される画面が表示される。
【００６７】
図６（Ｂ）は、スキャン開始の指示を受け付けるスキャン開始指示画面を示す図である。この画面には、次の処理へ進むメッセージの表示１１０１と、スキャン開始を指示するためのスキャン開始ボタン１１０２と、処理を中止するためにキャンセルボタン１１０３とが表示される。
【００６８】
この画面において、スキャン開始ボタン１１０２が押下されると、図６（Ｃ）に示される画面が表示される。
【００６９】
図６（Ｃ）は、ＭＦＰ１０１のステータスを示す画面である。この画面には、ＭＦＰ１０１のステータスを表すメッセージの表示１２０１と、送信の中止を指示するために送信中止ボタン１２０２とが表示される。
【００７０】
図６（Ｄ）は、データ送信確認画面を示している。このデータ送信確認画面は、後述する切断対応基本処理において、携帯端末１０２の表示部４０６に表示されたスキャン開始ボタン１１０２をユーザが押した際に表示される。
【００７１】
このデータ送信確認画面でデータ送信ボタン２１０３が押下されると、携帯端末１０２を特定するための携帯端末情報がＭＦＰ１０１に送信される。本実施の形態では、携帯端末情報として、携帯端末１０２のＭＡＣアドレス、ＩＰアドレス、及びメールアドレスを用いている。これら情報は例示列挙であり、例示したうちの少なくとも１つの情報であってもよいし、例示した以外の情報であってもよい。
【００７２】
データ送信確認画面において、アドレス入力欄２１０１がＭＦＰ１０１からのメールを受信するためのアドレスが入力されるが、このアドレスを任意に変更することも可能である。
【００７３】
なお、後述する切断対応基本処理を利用しなくても良い場合は、送信しないチェックボックス２１０２にチェックを入れることによって携帯端末情報を送信しないようにすることができる。
【００７４】
図７は、ＭＦＰ１０１及び携帯端末１０２により実行される基本処理の手順を示すフローチャートである。
【００７５】
図７における携帯端末１０２の処理Ｓ１３０１〜Ｓ１３１４は、図３に示したコントローラボード４００のＲＯＭ４０３、記憶装置４０４、ＲＡＭ４０２のいずれかに記憶されたプログラムに基づき、ＣＰＵ４０１によって実行される。
【００７６】
また、ＭＦＰ１０１の処理Ｓ１３１５〜Ｓ１３２３は、図２に示したコントローラボード３００のＲＯＭ３０３、記憶装置３０４、ＲＡＭ３０２のいずれかに記憶されたプログラムに基づき、ＣＰＵ３０１によって実行される。
【００７７】
まず、ＭＦＰ１０１は主電源がＯＮされると、コントローラボード３００のＲＯＭ３０３に記憶されたプログラムに基づきＣＰＵ３０１がＭＦＰ１０１を起動させる（ステップＳ１３１５）。
【００７８】
続いて、ＮＦＣタグ１０６に自機のネットワークのアドレスとしてＩＰアドレスを書き込む（ステップＳ１３１６）。具体的には、ＮＦＣコントローラ３１３内部に備わる不揮発性メモリＥＥＰＲＯＭなどに自機のＩＰアドレスを記憶する。
【００７９】
一方、携帯端末１０２では、モバイルＦＡＸを行うためにモバイルＦＡＸアプリケーションを起動する（ステップＳ１３０１）。
【００８０】
起動されたモバイルＦＡＸアプリケーションは、図５（Ａ）で示した設定画面を表示する。ここで宛先がユーザにより選択されることで宛先の設定がされ（ステップＳ１３０２）、送信や原稿読取設定が行われる（ステップＳ１３０３）。上記ステップＳ１３０２は、ファックスを送信する宛先を示す宛先情報を設定する宛先設定手段に対応する。
【００８１】
設定画面において次へボタン８０６が押下されると、図５（Ｃ）で示したＭＦＰ選択画面を表示する（ステップＳ１３０４）。図中の端子Ｂについては後述する。
【００８２】
次いで、携帯端末１０２のＮＦＣコントローラ４１３をリーダモードで起動させる（ステップＳ１３０５）。
【００８３】
ユーザは原稿をスキャンしてＦＡＸ送信を行うＭＦＰ１０１を選択するため、携帯端末１０２をＭＦＰ１０１のＮＦＣタグ１０６に近づけることで、携帯端末１０２は、ＮＦＣの通信可能範囲内に入る。
【００８４】
これにより、ＭＦＰ１０１は、近距離無線通信とは異なる、無線ＬＡＮ１０４とネットワーク１０５による通信を行うためのアドレスを転送することで提供し（ステップＳ１３１７）、携帯端末１０２はＮＦＣリーダでＭＦＰ１０１のＮＦＣタグ１０６から情報を取得する（ステップＳ１３０６）。そして、携帯端末１０２のＮＦＣコントローラ４１３で取得した情報からＭＦＰ１０１のＩＰアドレスを抽出する（ステップＳ１３０７）。上記ステップＳ１３０６，１３０７は、ユーザにより携帯端末が画像形成装置と近距離無線通信により通信が可能な範囲に近づけられた場合に、当該画像形成装置から、近距離無線通信によって近距離無線通信とは異なる通信を行うためのアドレスを取得するアドレス取得手段に対応する。そして、取得されたアドレスを用いて画像形成装置と通信する。
【００８５】
携帯端末１０２は、抽出したＩＰアドレスにアクセスし、ＭＦＰ１０１に対してモバイルＦＡＸのリクエストを送信する（ステップＳ１３０８）。このとき、ＭＦＰ１０１が有線接続していれば、携帯端末１０２から無線ＬＡＮインタフェース４１０を介して、アクセスポイント１０３とネットワーク１０５を経由してＭＦＰ１０１へリクエストが送信される。上記ステップＳ１３０８は、画像形成装置にファックスを送信するリクエストを送信するリクエスト送信手段に対応する。
【００８６】
一方、ＭＦＰ１０１が無線接続していれば、携帯端末１０２から無線ＬＡＮインタフェース４１０を介して、アクセスポイント１０３に送信され、受信したアクセスポイント１０３からＭＦＰ１０１にリクエストが送信される。
【００８７】
リクエストを受信したＭＦＰ１０１は、リクエストに対して応答を携帯端末１０２へ返信するリクエスト応答処理を行う（ステップＳ１３１８）。このリクエスト応答処理の詳細については後述する。そして、ＭＦＰ１０１は、ＡＤＦ部、または圧板部に原稿がセットされると（ステップＳ１３１９でＹＥＳ）、原稿検知フラグをセットする（ステップＳ１３２０）。
【００８８】
ＭＦＰ１０１からリクエストに対する応答を受信した携帯端末１０２は、原稿検知フラグがＭＦＰ１０１にセットされたか否かをチェックする原稿フラグチェック処理を行う（ステップＳ１３０９）。この原稿フラグチェック処理の詳細については後述する。
【００８９】
ＭＦＰ１０１に原稿がセットされると、携帯端末１０２の表示部４０６に、図６（Ｂ）で示したスキャン開始指示画面を表示する（ステップＳ１３１０）。この画面でスキャン開始ボタン１１０２が押下されると（ステップＳ１３１１でＹＥＳ）、ＭＦＰ１０１にスキャン指示が送信される（ステップＳ１３１２）。このステップＳ１３１２は、画像形成装置に原稿がセットされたことを検知し、ユーザによりファックスを送信する指示を受け付けると、宛先情報、及び当該携帯端末を特定するための携帯端末情報とともに、原稿を読み取り、ファックスを送信する指示を画像形成装置に送信する指示送信手段に対応する。
【００９０】
ＭＦＰ１０１はスキャン指示を受信すると（ステップＳ１３２１でＹＥＳ）、原稿をスキャンして、ＦＡＸ送信を行う送信処理を行う（ステップＳ１３２２）。この送信処理の詳細については後述する。その後、ＭＦＰ１０１は、送信結果を含む送信履歴を履歴情報として送信履歴を記憶装置３０４に記憶し（ステップＳ１３２３）、本処理を終了する。このステップＳ１３２３は、送信結果及び携帯端末情報を含む送信履歴を履歴情報として記憶装置３０４に記憶する履歴記憶手段に対応する。ＭＦＰ１０１が記憶する履歴情報には、携帯端末情報を受信した日時、携帯端末１０２のＭＡＣアドレス、ＩＰアドレス、メールアドレス、及び送信結果が含まれる。
【００９１】
一方、ＭＦＰ１０１にスキャン指示を送信した携帯端末１０２は、ＭＦＰ１０１が送信完了したか、エラーで終了したかのステータスをチェックするステータスチェック処理を行う（ステップＳ１３１３）。このステータスチェック処理の詳細については後述する。
【００９２】
ステータスチェック処理の結果に応じて携帯端末１０２は、送信結果を含む送信履歴を履歴情報として送信履歴を記憶装置４０４に記憶し（ステップＳ１３１４）、本処理を終了する。このステップＳ１３１４は、送信結果を含む送信履歴を履歴情報として記憶部に記憶する履歴記憶手段に対応する。携帯端末１０２が記憶する履歴情報には、携帯端末情報を送信した日時、ＭＦＰ１０１のＭＡＣアドレス、ＩＰアドレス、及び送信結果が含まれる。
【００９３】
図８は、図７におけるステップＳ１３１８のリクエスト応答処理の手順を示すフローチャートである。
【００９４】
図８において、ＭＦＰ１０１がリクエストを受信すると（ステップＳ１７０１でＹＥＳ）、自機にＦＡＸ機能があるか否か判別する（ステップＳ１７０２）。上記ステップＳ１７０１は、ファックスを送信するリクエストを携帯端末から受信するリクエスト受信手段に対応する。
【００９５】
ステップＳ１７０２の判別の結果、ＦＡＸ機能がある場合には（ステップＳ１７０２でＹＥＳ）、受信したリクエストに対する応答を返信する（ステップＳ１７０３）。このステップＳ１７０３は、携帯端末に、ファックスの送信が可能であることを応答するリクエスト応答手段に対応する。
【００９６】
応答を返信した後は、原稿検知センサ３２０で原稿がセットされたか否かの監視を開始して（ステップＳ１７０４）、本処理を終了する。
【００９７】
一方、ステップＳ１７０２の判別の結果、自機にＦＡＸ機能がない場合には（ステップＳ１７０２でＮＯ）、モバイルＦＡＸ機能が無いことを示す情報を応答として携帯端末１０２へ返信して（ステップＳ１７０５）、図７で示した基本処理を終了する。
【００９８】
以上説明したリクエスト応答処理でのステップＳ１７０３で単にモバイルＦＡＸのリクエストに対応可能であると応答するのではなく、自機のＦＡＸ送信に関する能力をリクエストの応答と合わせて返信するようにしてもよい。
【００９９】
具体的には、自機で設定可能なＦＡＸ送信機能例えば、ＥＣＭ送信の有／無、解像度の選択肢、ＡＤＦ両面読取の可／否、などを携帯端末１０２へ返信する。
【０１００】
また、ＭＦＰ１０１のＦＡＸ送信機能の情報を受け取った携帯端末１０２は、予めユーザが選択した設定内容と、ＭＦＰ１０１から受け取った設定可能な設定内容との比較を行う。
【０１０１】
ＭＦＰ１０１で設定できない項目が携帯端末１０２にて設定されていた場合は、ユーザに設定の変更を求めるメッセージを表示する。或いは、ユーザが設定した内容に一番近い設定へ自動で変更するとしてもよい。
【０１０２】
これにより、予め携帯端末１０２でユーザが設定した設定内容が実際にＦＡＸ送信するＭＦＰ１０１で設定できないケースをカバーすることができる。
【０１０３】
図９は、図７におけるステップＳ１３０９の原稿検知フラグチェック処理の手順を示すフローチャートである。
【０１０４】
図９において、ＭＦＰ１０１からリクエストに対する応答があったか否か判別する（ステップＳ１５０１）。ステップＳ１５０１の判別の結果、リクエストに対する応答があった場合には（ステップＳ１５０１でＹＥＳ）、ＭＦＰ１０１にＦＡＸ機能があるか否か判別する（ステップＳ１５０２）。
【０１０５】
ステップＳ１５０２の判別の結果、ＦＡＸ機能がない場合には（ステップＳ１５０２でＮＯ）、携帯端末１０２の表示部４０６に選択したＭＦＰにはＦＡＸ機能が無いメッセージを表示し（ステップＳ１５０９）、図７の端子Ｂに進む。
【０１０６】
一方、ステップＳ１５０２の判別の結果、ＦＡＸ機能がある場合には（ステップＳ１５０２でＹＥＳ）、携帯端末１０２の表示部４０６に、原稿をＭＦＰ１０１にセットするよう指示する図６（Ａ）で示したメッセージを表示する（ステップＳ１５０３）。このステップＳ１５０３は、リクエストが送信された画像形成装置からファックスの送信が可能であることが応答された場合に、画像形成装置へ原稿をセットするようにユーザに指示する内容を表示部４０６に表示する原稿セット指示表示手段に対応する。
【０１０７】
続いて、ＭＦＰ１０１に対して原稿検知フラグをチェックするために、その問い合わせを定期的に行う原稿検知フラグをポーリングする（ステップＳ１５０４）。そして、ポーリングに対して応答があったか否か判別する（ステップＳ１５０５）。
【０１０８】
ステップＳ１５０５の判別の結果、応答があった場合には（ステップＳ１５０５でＹＥＳ）、原稿検知フラグがセットされていたか否か判別する（ステップＳ１５０６）。
【０１０９】
ステップＳ１５０６の判別の結果、原稿検知フラグがセットされていない場合には（ステップＳ１５０６でＮＯ）、ステップＳ１５０４に戻る。
【０１１０】
一方、ステップＳ１５０６の判別の結果、原稿検知フラグがセットされていた場合には（ステップＳ１５０６でＹＥＳ）、携帯端末１０２の表示部４０６に原稿がセットされたことを示す図６（Ｂ）で示したメッセージを表示して（ステップＳ１５０７）、本処理を終了する。
【０１１１】
ステップＳ１５０５に戻り、ステップＳ１５０５の判別の結果、応答がない場合には（ステップＳ１５０５でＮＯ）、タイムアウトになったか否か判別する（ステップＳ１５１０）。ステップＳ１５１０の判別の結果、タイムアウトにはなっていない場合には（ステップＳ１５１０でＮＯ）、ステップＳ１５０５に戻る。
【０１１２】
一方、ステップＳ１５１０の判別の結果、タイムアウトになった場合には（ステップＳ１５１０でＹＥＳ）、ＭＦＰ１０１から応答のなかったことを表示し（ステップＳ１５１１）、図７で示した基本処理を終了する。
【０１１３】
ステップＳ１５０１に戻り、ステップＳ１５０１の判別の結果、応答がない場合には（ステップＳ１５０１でＮＯ）、タイムアウトになったか否か判別する（ステップＳ１５０８）。ステップＳ１５０８の判別の結果、タイムアウトにはなっていない場合には（ステップＳ１５０８でＮＯ）、ステップＳ１５０１に戻る。
【０１１４】
一方、ステップＳ１５０８の判別の結果、タイムアウトになった場合には（ステップＳ１５０８でＹＥＳ）、上記ステップＳ１５１１に進む。
【０１１５】
図１０は、図７におけるステップＳ１３２２の送信処理の手順を示すフローチャートである。
【０１１６】
図１０において、ＭＦＰ１０１は宛先、送信設定、スキャン設定等の送信設定や携帯端末情報を受信し（ステップＳ１８０１）、それらを記憶装置３０４に記憶する（ステップＳ１８０２）。このステップＳ１８０１は、ファックスを送信する宛先を示す宛先情報、及び携帯端末を特定するための携帯端末情報とともに、原稿を読み取り、ファックスを送信する指示を携帯端末から受信する指示受信手段に対応する。また、ステップＳ１８０２は、携帯端末情報を記憶部に記憶する携帯端末情報記憶手段に対応する。
【０１１７】
次いで、原稿がＡＤＦに置かれたか否か判別する（ステップＳ１８０３）。ステップＳ１８０３の判別の結果、原稿がＡＤＦに置かれた場合には（ステップＳ１８０３でＹＥＳ）、送信設定に従い、ＡＤＦスキャンを開始する（ステップＳ１８０４）。
【０１１８】
そしてスキャン処理を実行し（ステップＳ１８０５）、スキャンした画像データを１ページ分記憶する（ステップＳ１８０６）。上記ステップＳ１８０５の処理におけるＭＦＰ１０１のステータスは、スキャン中である。上記ステップＳ１８０５，１０２６，１８１１は、ファックスを送信する指示に従って原稿を読み取り、宛先情報が示す宛先に原稿を示すファックスを、表紙データまたはヘッダーデータから生成されたデータとともに送信するファックス送信手段に対応する。
【０１１９】
次いで、次ページがあるか否か判別する（ステップＳ１８０７）。ステップＳ１８０７の判別の結果、次ページがある場合には（ステップＳ１８０７でＹＥＳ）、ステップＳ１８０５に戻る。
【０１２０】
一方、ステップＳ１８０７の判別の結果、次ページがない場合には（ステップＳ１８０７でＮＯ）、公衆回線をチェックする（ステップＳ１８０８）。
【０１２１】
そして、発呼可能か否か判別する（ステップＳ１８０９）。ステップＳ１８０９の判別の結果、発呼可能ではない場合には（ステップＳ１８０９でＮＯ）、ステップＳ１８０８に戻る。
【０１２２】
一方、ステップＳ１８０９の判別の結果、発呼可能な場合には（ステップＳ１８０９でＹＥＳ）、送信設定で指定された宛先に発呼し（ステップＳ１８１０）、ＦＡＸ送信を行う（ステップＳ１８１１）。上記ステップＳ１８１１の処理におけるＭＦＰ１０１のステータスは、送信中である。
【０１２３】
次いで、ＦＡＸ送信が正常終了したか否か判別する（ステップＳ１８１２）。ステップＳ１８１２の判別の結果、正常終了した場合には（ステップＳ１８１２でＹＥＳ）、送信完了とし（ステップＳ１８１３）、本処理を終了する。上記ステップＳ１８１３の処理におけるＭＦＰ１０１のステータスとして、ファックスの送信が完了したことを示す送信完了が設定される。
【０１２４】
一方、ステップＳ１８１２の判別の結果、正常終了しなかった場合には（ステップＳ１８１２でＮＯ）、発呼先が話し中か否か判別する（ステップＳ１８１４）。ステップＳ１８１４の判別の結果、発呼先が話し中の場合には（ステップＳ１８１４でＹＥＳ）、再び発呼するオートリダイヤル処理を行い（ステップＳ１８１５）、本処理を終了する。
【０１２５】
一方、ステップＳ１８１４の判別の結果、発呼先が話し中ではない場合には（ステップＳ１８１４でＮＯ）、エラー終了し（ステップＳ１８１６）、本処理を終了する。上記ステップＳ１８１６の処理におけるＭＦＰ１０１のステータスとして、ファックスの送信が失敗したことを示すエラー終了が設定される。上記ステップＳ１８１３，１８１６は、ファックスの送信結果を示すステータスを設定するステータス設定手段に対応する。
【０１２６】
ステップＳ１８０３に戻り、ステップＳ１８０３の判別の結果、原稿がＡＤＦに置かれていない場合には（ステップＳ１８０３でＮＯ）、送信設定に従い、ＢＯＯＫスキャンを開始する（ステップＳ１８１７）。スキャン処理を実行し（ステップＳ１８１８）、スキャンした画像データを１ページ分を記憶する（ステップＳ１８１９）。
【０１２７】
１ページ分の記憶が完了すると、次の原稿の読み込みを指示する表示を行い（ステップＳ１８２０）、次ページがあるか否か判別する（ステップＳ１８２１）。
【０１２８】
ステップＳ１８２１の判別の結果、次ページがある場合には（ステップＳ１８２１でＹＥＳ）、ステップＳ１８１８に戻る。
【０１２９】
一方、ステップＳ１８２１の判別の結果、次ページがない場合には（ステップＳ１８２１でＮＯ）、上記ステップＳ１８０８に進む。
【０１３０】
図１１は、図１０におけるステップＳ１８１５のオートリダイヤル処理の手順を示すフローチャートである。
【０１３１】
図１１において、予め設定されているオートリダイヤル設定を読み出し（ステップＳ１９０１）、ステータスをリダイヤル待ちとし（ステップＳ１９０２）、リダイヤル待ち時間をセットする（ステップＳ１９０３）。
【０１３２】
待ち時間が経過したら（ステップＳ１９０４でＹＥＳ）、リダイヤル回数を１だけ増分し（ステップＳ１９０５）、公衆回線をチェックする（ステップＳ１９０６）。
【０１３３】
そして、発呼可能か否か判別する（ステップＳ１９０７）。ステップＳ１９０７の判別の結果、発呼可能ではない場合には（ステップＳ１９０７でＮＯ）、ステップＳ１９０６に戻る。
【０１３４】
一方、ステップＳ１９０７の判別の結果、発呼可能な場合には（ステップＳ１９０７でＹＥＳ）、送信設定で指定された宛先に発呼し（ステップＳ１９０８）、ＦＡＸ送信を行う（ステップＳ１９０９）。上記ステップＳ１９０９の処理におけるＭＦＰ１０１のステータスは、送信中である。
【０１３５】
次いで、ＦＡＸ送信が正常終了したか否か判別する（ステップＳ１９１０）。ステップＳ１９１０の判別の結果、正常終了した場合には（ステップＳ１９１０でＹＥＳ）、送信完了とし（ステップＳ１９１１）、本処理を終了する。上記ステップＳ１９１１の処理におけるＭＦＰ１０１のステータスは、送信完了である。
【０１３６】
一方、ステップＳ１９１０の判別の結果、正常終了しなかった場合には（ステップＳ１９１０でＮＯ）、発呼先が話し中か否か判別する（ステップＳ１９１２）。
【０１３７】
ステップＳ１９１２の判別の結果、発呼先が話し中ではない場合には（ステップＳ１９１２でＮＯ）、エラー終了し（ステップＳ１９１３）、本処理を終了する。上記ステップＳ１９１３の処理におけるＭＦＰ１０１のステータスは、エラー終了である。
【０１３８】
一方、ステップＳ１９１２の判別の結果、発呼先が話し中の場合には（ステップＳ１９１２でＹＥＳ）、リダイヤル回数が上限回数未満か否か判別する（ステップＳ１９１４）。
【０１３９】
ステップＳ１９１４の判別の結果、リダイヤル回数が上限回数未満の場合には（ステップＳ１９１４でＹＥＳ）、上記ステップＳ１９０２に戻る。
【０１４０】
一方、ステップＳ１９１４の判別の結果、リダイヤル回数が上限回数以上の場合には（ステップＳ１９１４でＮＯ）、上記ステップＳ１９１３に進む。
【０１４１】
図１２は、図７におけるステップＳ１３１３のステータスチェック処理の手順を示すフローチャートである。
【０１４２】
図１２において、ＭＦＰ１０１のステータスを取得することでステータスをチェックし（ステップＳ１６０１）、応答があったか否か判別する（ステップＳ１６０２）。このステップＳ１６０１は、ファックスの送信が指示された画像形成装置からファックスの送信結果を取得する送信結果取得手段に対応する。
【０１４３】
ステップＳ１６０２の判別の結果、応答がない場合には（ステップＳ１６０２でＮＯ）、タイムアウトになったか否か判別する（ステップＳ１６０７）。ステップＳ１６０７の判別の結果、タイムアウトにはなっていない場合には（ステップＳ１６０７でＮＯ）、ステップＳ１６０２に戻る。
【０１４４】
一方、ステップＳ１６０７の判別の結果、タイムアウトになった場合には（ステップＳ１６０７でＹＥＳ）、端子Ａによって、図９のステップＳ１５１１に進む。
【０１４５】
ステップＳ１６０２に戻り、ステップＳ１６０２の判別の結果、応答があった場合には（ステップＳ１６０２でＹＥＳ）、応答からステータスを取得する（ステップＳ１６０３）。
【０１４６】
次に取得したＭＦＰ１０１のステータスを携帯端末１０２の表示部４０６に表示する（ステップＳ１６０４）。具体的にはダイヤル中／ＦＡＸ送信中といったステータスを表示する。
【０１４７】
ＦＡＸ送信が完了したか否か判別する（ステップＳ１６０５）。ステップＳ１６０５の判別の結果、ＦＡＸ送信が完了した場合には（ステップＳ１６０５でＹＥＳ）、携帯端末１０２の表示部４０６にＦＡＸ送信が完了したことを表示して（ステップＳ１６０６）、本処理を終了する。
【０１４８】
一方、ステップＳ１６０５の判別の結果、ＦＡＸ送信が完了しなかった場合には（ステップＳ１６０５でＮＯ）、エラー終了したか否か判別する（ステップＳ１６０８）。ステップＳ１６０８の判別の結果、エラー終了していない場合には（ステップＳ１６０８でＮＯ）、ステップＳ１６０１に戻る。
【０１４９】
一方、ステップＳ１６０８の判別の結果、エラー終了した場合には（ステップＳ１６０８でＹＥＳ）、携帯端末１０２の表示部４０６にＦＡＸ送信がエラー終了ことを表示して（ステップＳ１６０９）、本処理を終了する。このステップＳ１６０９は、ファックスの送信結果を表示部４０６に表示する送信結果表示手段に対応する。
【０１５０】
このように、本実施の形態における送信結果は、ファックスの送信が完了したこと（ステップＳ１６０６）、ファックスの送信が失敗したこと（ステップＳ１６０９）、及びＭＦＰ１０１からの応答がなかったために送信結果を取得的できなかったこと（図９のステップＳ１５１１）のいずれか１つを示す結果となっている。
【０１５１】
以上説明した処理では、ＭＦＰ１０１にＮＦＣタグ１０６が備わっている構成について説明したが、ＭＦＰ１０１にＮＦＣタグ１０６が備わっていない構成や、携帯端末１０２にＮＦＣコントローラ４１３などが備わっていない構成もある。
【０１５２】
図１３は、ＮＦＣ機能を用いることなくＭＦＰ１０１及び携帯端末１０２により実行される基本処理の手順を示すフローチャートである。
【０１５３】
以下、主として図７で説明した基本処理と異なる点について説明する。まず、ステップＳ１４０１〜１４０３は、図７のステップＳ１３０１〜１３０３と同じである。
【０１５４】
ステップＳ１３０３の次に、設定画面において次へボタン８０６が押下されると、ＭＦＰの選択に進む（ステップＳ１４０４）。
【０１５５】
上述した構成では、携帯端末１０２とＭＦＰ１０１のＮＦＣによる近距離無線通信を行えないので、その代わりに携帯端末１０２は、ＬＡＮに接続されているＭＦＰを検索する（ステップＳ１４０５）。
【０１５６】
次いで、検索にヒットしたＭＦＰの一覧をリストにして携帯端末１０２の表示部４０６に表示する（ステップＳ１４０６）。リストを表示したならば、ユーザがＦＡＸ送信を行いたいＭＦＰを選択するよう促すメッセージを表示する（ステップＳ１４０７）。
【０１５７】
次に、ユーザが選択したＭＦＰに対し、図７のステップＳ１３０８と同じく、ネットワーク１０５を介してリクエストを送信する（ステップＳ１４０８）。以降の処理フローは図７のステップＳ１３０９以降と同じである。
【０１５８】
図１３に示した基本処理では、ＬＡＮに接続されているＭＦＰのリストからユーザが使用したいＭＦＰを選択する形態をとっている。そのため、ユーザは、使用したいと思っているＭＦＰとリストに記載されているＭＦＰとを、間違いなく一致させて選択する必要がある。しかし、ユーザによっては自身が使用したいと思っているＭＦＰの名称を知らない場合もあり、間違いなく選択することが困難なケースも考えられる。
【０１５９】
その為、図７の基本処理のようにＮＦＣを用いて１対１でＭＦＰを選択できれば、仮にＭＦＰの名称を知らない場合でもユーザは間違いなく使用したいと思ったＭＦＰを選択できる。
【０１６０】
この場合、ＮＦＣタグ１０６をＭＦＰ１０１に備えるとＭＦＰ１０１の装置コストが上がってしまうというデメリットもある。また、携帯端末１０２によってはＮＦＣ機能を備えていない場合もある。このようなデメリットの解消のため、図１３の基本処理を提案している。
【０１６１】
以上説明した基本処理において、何らかの原因が生じて携帯端末１０２とＭＦＰ１０１との間の通信が切断する可能性がある。上記原因の一例として、携帯端末１０２の省電力モードによるＷｉＦｉ機能のディセーブル、アクセスポイントの不具合、物理的または電波妨害による通信障害、人為的間違いによる切断、及び携帯端末１０２のバッテリー切れ等が挙げられる。
【０１６２】
それら原因により発生する通信の切断に対応した基本処理について説明する。
【０１６３】
図１４は、図２におけるＭＦＰ１０１のＣＰＵ３０１により実行される切断対応基本処理の手順を示すフローチャートである。
【０１６４】
図１４に示される処理のステップＳ２００１〜２００３は、図７で説明したＭＦＰ１０１の処理のステップＳ１３１５〜ステップＳ１３１７と同じ処理である。
【０１６５】
次のステップＳ２００４では、図７のリクエスト応答処理とは異なるリクエスト応答処理を行う。このリクエスト応答処理については後述する。
【０１６６】
次に、ＭＦＰ１０１は、ＡＤＦ部、または圧板部に原稿がセットされると（ステップＳ２００５でＹＥＳ）、原稿検知フラグをセットする（ステップＳ２００６）。
【０１６７】
ＭＦＰ１０１に原稿がセットされると、携帯端末１０２の表示部４０６に、図６（Ｂ）で示したスキャン開始指示画面を表示され、この画面でスキャン開始ボタン１１０２が押下されると図６（Ｄ）で示したデータ送信確認画面が表示される。
【０１６８】
この画面でデータ送信ボタンが押下されると、図７のステップＳ１３１２での処理は、携帯端末１０２のＭＡＣアドレス、ＩＰアドレス、及びメールアドレスを含む携帯端末情報とともに、ＭＦＰ１０１にスキャン指示が送信される処理となる。
【０１６９】
ＭＦＰ１０１はスキャン指示を受信すると（ステップＳ２００７でＹＥＳ）、受信した携帯端末情報を、記憶装置３０４に記憶する（ステップＳ２００８）。記憶した携帯端末情報とともに、それを記憶した日時も記憶しておき、セキュリティの観点から、ジョブが正常終了した際や一定時間使用されなかった場合はそれらが削除される。
【０１７０】
次いで、原稿をスキャンして、ＦＡＸ送信を行う図１０で示した送信処理を行う（ステップＳ２００９）。
【０１７１】
送信処理を行うと、ステータスは送信完了かエラー終了となるが、ステータスが送信完了か否か判別する（ステップＳ２０１０）。
【０１７２】
ステップＳ２０１０の判別の結果、ステータスが送信完了の場合には（ステップＳ２０１０でＹＥＳ）、携帯端末１０２からＭＦＰ１０１のジョブの進行ステータスを確認するリクエストがあったか否か判別する（ステップＳ２０１１）。
【０１７３】
ステップＳ２０１１の判別の結果、リクエストがあった場合には（ステップＳ２０１１でＹＥＳ）、送信完了を通知する（ステップＳ２０１２）。そして、送信履歴を携帯端末１０２と正常に共有できたと判断して、記憶装置３０４に記憶された携帯端末情報を削除する（ステップＳ２０１３）。その後、送信結果及び携帯端末情報を含む送信履歴を履歴情報として送信履歴を記憶装置３０４に記憶し（ステップＳ２０１４）、本処理を終了する。
【０１７４】
一方、ステップＳ２０１１の判別の結果、リクエストがなかった場合には（ステップＳ２０１１でＮＯ）、ステップＳ２００８で携帯端末情報を記憶したときから一定時間だけリクエストがない状態が経過したか否か判別する（ステップＳ２０１５）。
【０１７５】
ステップＳ２０１５の判別の結果、一定時間内にリクエストがあった場合には（ステップＳ２０１５でＮＯ）、上記ステップＳ２０１１に進む。
【０１７６】
一方、ステップＳ２０１５の判別の結果、一定時間内にリクエストがなかった場合には（ステップＳ２０１５でＹＥＳ）、何らかの原因が生じて携帯端末１０２とＭＦＰ１０１との間の通信が切断したと判断する。
【０１７７】
そして記憶装置３０４に記憶された携帯端末情報を参照して、メールアドレス宛てに「送信完了」を送信し（ステップＳ２０１６）、上記ステップＳ２０１４に進む。
【０１７８】
このとき、「モバイルＦＡＸによる送信が完了しました。２０ＸＸ／１２／２３  １０：１８  アプリの履歴と差異があります。同期してください。」という内容も送付する。ここで利用した携帯端末情報は、後述する送信履歴の同期で利用される。さらに、一定時間アクセスがない場合は、記憶装置３０４に記憶された携帯端末情報を削除する携帯端末情報削除処理によって削除される。上述した携帯端末１０２及びＭＦＰ１０１の各々が記憶する履歴情報が同期していない場合には、円滑に機器連携することが困難となるため、同期させることで円滑に機器連携することが可能となる。
【０１７９】
上記ステップＳ２０１０に戻り、ステップＳ２０１０の判別の結果、ステータスがエラー終了の場合には（ステップＳ２０１０でＮＯ）、携帯端末１０２からＭＦＰ１０１のジョブの進行ステータスを確認するリクエストがあったか否か判別する（ステップＳ２０１７）。
【０１８０】
ステップＳ２０１７の判別の結果、リクエストがあった場合には（ステップＳ２０１７でＹＥＳ）、エラー終了を通知する（ステップＳ２０１８）。上記ステップＳ２０１２，２０１８は、設定されたステータスを携帯端末に提供する提供手段に対応する。
【０１８１】
そして、送信履歴を携帯端末１０２と正常に共有できたと判断して、記憶装置３０４に記憶された携帯端末情報を削除し（ステップＳ２０１９）、上記ステップＳ２０１４に進む。このステップＳ２０１９，２０１３に示されるように、画像形成装置にステータスが提供された場合には、記憶装置３０４に記憶された携帯端末情報を削除する。
【０１８２】
一方、ステップＳ２０１７の判別の結果、リクエストがなかった場合には（ステップＳ２０１７でＮＯ）、ステップＳ２００８で携帯端末情報を記憶したときから一定時間だけリクエストがない状態が経過したか否か判別する（ステップＳ２０２０）。
【０１８３】
ステップＳ２０２０の判別の結果、一定時間内にリクエストがあった場合には（ステップＳ２０２０でＮＯ）、上記ステップＳ２０１７に進む。
【０１８４】
一方、ステップＳ２０２０の判別の結果、一定時間内にリクエストがなかった場合には（ステップＳ２０２０でＹＥＳ）、何らかの原因が生じて携帯端末１０２とＭＦＰ１０１との間の通信が切断したと判断する。
【０１８５】
そして記憶装置３０４に記憶された携帯端末情報を参照して、メールアドレス宛てに「エラー終了」を送信し（ステップＳ２０２１）、上記ステップＳ２０１４に進む。
【０１８６】
このとき、「モバイルＦＡＸによる送信が失敗しました。２０ＸＸ／１２／２３  １０：１８  アプリの履歴と差異があります。同期してください。」という内容も送付する。
【０１８７】
ここで利用した携帯端末情報は、後述する送信履歴の同期で利用される。さらに、一定時間アクセスがない場合は、上述した携帯端末情報削除処理によって削除される。また、ステップＳ２０１６，２０２１に示されるように、携帯端末１０２から、一定時間内にステータスのリクエストがない場合には、ステータスが示す内容をメールアドレス宛に電子メールで送信するようになっている。
【０１８８】
図１５は、図１４におけるステップＳ２００４のリクエスト応答処理の手順を示すフローチャートである。
【０１８９】
図１５において、ＭＦＰ１０１がリクエストを受信すると（ステップＳ２３０１でＹＥＳ）、自機にＦＡＸ機能があるか否か判別する（ステップＳ２３０２）。
【０１９０】
ステップＳ２３０２の判別の結果、自機にＦＡＸ機能がない場合には（ステップＳ２３０２でＮＯ）、モバイルＦＡＸ機能が無いことを示す情報を応答として携帯端末１０２へ返信して（ステップＳ２３１０）、図１４で示した基本処理を終了する。
【０１９１】
一方、ステップＳ２３０２の判別の結果、ＦＡＸ機能がある場合には（ステップＳ２３０２でＹＥＳ）、リクエストした携帯端末の携帯端末情報が記憶装置３０４に記憶されているか否か判別する（ステップＳ２３０３）。上述したように、携帯端末情報には、ＭＡＣアドレス、ＩＰアドレスなどが含まれるので、それらを用いて判別することができる。
【０１９２】
ステップＳ２３０３の判別の結果、携帯端末情報が記憶装置３０４に記憶されていない場合には（ステップＳ２３０３でＮＯ）、受信したリクエストに対する応答を返信する（ステップＳ２３０４）。ここでは、例えば、ＥＣＭ送信の有無、ＡＤＦ両面スキャンの有無、自機で設定可能なＦＡＸ送信機能などを含んだＦＡＸ送信機能情報も返信する。
【０１９３】
応答を返信した後は、原稿検知センサ３２０で原稿がセットされたか否かの監視を開始して（ステップＳ２３０５）、本処理を終了する。
【０１９４】
一方、ステップＳ２３０３の判別の結果、携帯端末情報が記憶装置３０４に記憶されている場合には（ステップＳ２３０３でＹＥＳ）、ステップＳ２３０４と同じくリクエスト応答を返信するとともに、携帯端末１０２の履歴情報を問い合わせる（ステップＳ２３０６）。ここでの携帯端末１０２の処理が、履歴情報をＭＦＰ１０１に記憶されている履歴情報と同期する同期手段（第１同期手段）に対応する。これは後述するように、履歴情報が異なる場合には、ＭＦＰ１０１が携帯端末１０２の履歴情報に同期させるため、ＭＦＰ１０１からの問い合わせに応じて記憶装置３０４に記憶された履歴情報をＭＦＰ１０１に送信するだけで履歴情報が同期することとなる。
【０１９５】
携帯端末１０２から履歴情報が返信され、その返信された履歴情報とＭＦＰ１０１での履歴情報との差異があるか否か判別する（ステップＳ２３０７）。
【０１９６】
ステップＳ２３０７の判別の結果、履歴情報に差異がある場合には（ステップＳ２３０７でＹＥＳ）、ＭＦＰ１０１の履歴情報を携帯端末１０２から取得した履歴情報に同期して（ステップＳ２３０８）、上記ステップＳ２３０５に進む。このステップＳ２３０８は、記憶装置３０４に記憶された履歴情報を、携帯端末に記憶されている履歴情報と同期する同期手段（第２同期手段）に対応する。
【０１９７】
一方、ステップＳ２３０７の判別の結果、履歴情報に差異がない場合には（ステップＳ２３０７でＮＯ）、記憶装置３０４に携帯端末情報を記憶しておく必要がないので、対応の携帯端末情報を削除して（ステップＳ２３０９）、上記ステップＳ２３０５に進む。
【０１９８】
図１６は、図２におけるＭＦＰ１０１のＣＰＵ３０１により実行される携帯端末情報削除処理の手順を示すフローチャートである。図１６の処理は、図１４の切断対応基本処理とは独立して実行され、例えば１日おきなど、定期的に自動で実行するようにしてもよい。
【０１９９】
図１６において、記憶装置３０４に携帯端末情報が記憶されている場合には（ステップＳ２２０１でＹＥＳ）、現在の日時と記憶装置３０４に携帯端末情報をとともに記憶された日時とを比較して、予め定められた時間差が生じている携帯端末情報を抽出する（ステップＳ２２０２）。
【０２００】
抽出された携帯端末情報は、予め定められた時間使われなかったと判断して記憶装置３０４から削除して（ステップＳ２２０３）、本処理を終了する。このように、記憶装置３０４に記憶された履歴情報のうち、記憶されてから予め定められた時間が経過した履歴情報は削除される。
【０２０１】
なお、携帯端末情報を暗号化可能など、セキュリティが十分に確保できるのであれば携帯端末情報削除処理を行わなくてもよい。
【０２０２】
以上説明したように、ＭＦＰ１０１側でユーザーからのリクエストがないことを判別し、何らかの原因が生じて通信が切断してしまっても、ユーザーは画像形成装置の状態を知ることが可能となる。
【０２０３】
また、携帯端末１０２側で管理する履歴情報とＭＦＰ１０１側で管理する履歴情報に差異が生じた場合には、同期することで携帯端末１０２の履歴情報も正常に保つことができる。また、これらの機能はファックス機能に限定されず、ＭＦＰ１０１の持つ機能を携帯端末１０２と連携して使用する際に適用することが可能である。
【０２０４】
本実施の形態によれば、ユーザによりファックスを送信する指示を受け付けると、携帯端末を特定するための携帯端末情報を送信し、取得した送信結果を含む送信履歴を履歴情報として記憶部に記憶し、記憶した履歴情報を画像形成装置に記憶されている履歴情報と同期するので、画像形成装置にファックスを送信させる携帯端末と画像形成装置とが円滑に機器連携することが可能となる。
【０２０５】
（他の実施の形態）
本発明の目的は、上述した実施の形態で示したフローチャートの手順を実現するプログラムコードを記憶した記憶媒体から、システムあるいは装置のコンピュータまたはＣＰＵやＭＰＵが、そのプログラムコードを読出し実行することによっても達成される。
【０２０６】
この場合、記憶媒体から読み出されたプログラムコード自体が上述した実施形態の機能を実現することになる。そのため、このプログラムコード及びプログラムコードを記憶した記憶媒体も本発明の１つを構成することになる。
【０２０７】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２０８】
またコンピュータが読み出したプログラムコードの指示に基づきコンピュータ上で稼動しているＯＳオペレーティングシステムなどが実際の処理の一部または全部を行い、その処理によって上述した実施形態の機能が実現されてもよい。
【０２０９】
更に、記憶媒体から読出されたプログラムコードが、コンピュータに挿入された機能拡張ボードやコンピュータに接続された機能拡張ユニットに備わるメモリに書き込みまれる場合もある。その場合でも、そのプログラムコードの指示に基づき、その機能拡張ボードや機能拡張ユニットに備わるＣＰＵなどが実際の処理の一部または全部を行い、その処理によって上述した実施形態の機能が実現される。
【符号の説明】
【０２１０】
１００  通信システム
１０１  ＭＦＰ
１０２  携帯端末
１０３  アクセスポイント
１０４  無線ＬＡＮ
１０５  ネットワーク
１０６  ＮＦＣタグ
１０７  ＰＣ
１０８  公衆回線網
１０９  ＦＡＸ装置
【図１】
2015005813.tif 000003
【図２】
2015005813.tif 000004
【図３】
2015005813.tif 000005
【図４】
2015005813.tif 000006
【図５】
2015005813.tif 000007
【図６】
2015005813.tif 000008
【図７】
2015005813.tif 000009
【図８】
2015005813.tif 000010
【図９】
2015005813.tif 000011
【図１０】
2015005813.tif 000012
【図１１】
2015005813.tif 000013
【図１２】
2015005813.tif 000014
【図１３】
2015005813.tif 000015
【図１４】
2015005813.tif 000016
【図１５】
2015005813.tif 000017
【図１６】
2015005813.tif 000018